(57)【要約】【課題】収納物の取り出しを容易にできるとともに、収納物を取り出さない場合にはその取り扱いを容易にできる包装用袋を提供する。【解決手段】プラスチックフィルムで形成され、周壁部３と周壁部３の下端部に連結された底壁部２とを備え、周壁部３に、周壁部３を一周するような破断、を容易とする破断容易部１７が、設けられている包装用袋１。【選択図】  図４
0003118893.tif 000002
【実用新案登録請求の範囲】
【請求項１】
プラスチックフィルムで形成された包装用袋であって、
周壁部と前記周壁部の下端部に連結された底壁部とを備え、
前記周壁部に、前記周壁部を一周するような破断を、容易に行えるように構成された破断容易部が、設けられている
ことを特徴とする包装用袋。
【請求項２】
前記破断容易部が、前記周壁部を一周するミシン目を有することにより、前記破断を容易に行えるように構成されている
ことを特徴とする請求項１記載の包装用袋。
【請求項３】
前記底壁部が、前記包装用袋の内部に折り畳まれるガゼット状に形成されて、前記底壁部の折り畳んだ状態における両側端が、前記周壁部に固着され、
前記底壁部を折り畳むことにより、平面状になることを特徴とする請求項１又は２記載の包装用袋。
【請求項４】
前記底壁部を折り畳んだときに、下縁部から上方へ向かって広がるテーパ平面状になることを特徴とする請求項３記載の包装用袋。
【請求項５】
前記周壁部の下部に、模様若しくは色彩又はこれらの結合が付加された帯状の目隠し装飾部が設けられ、
前記目隠し装飾部、又は、前記目隠し装飾部と前記周壁部の前記目隠し装飾部より上方部位との境界部に、前記破断容易部が設けられていることを特徴とする請求項１、２、３又は４記載の包装用袋。
【請求項６】
前記上方部位は、大部分が透明とされていることを特徴とする請求項５記載の包装用袋。
【請求項７】
前記周壁部又は前記底壁部の少なくとも一方に、孔が設けられていることを特徴とする請求項１、２、３、４、５又は６記載の包装用袋。
【請求項８】
育苗ポット包装用袋であって、前記目隠し装飾部が、前記周壁部の前記下端部から、包装される育苗ポットの高さと略同じか前記高さより高い位置まで、形成され、前記底壁部に孔が設けられていることを特徴とする請求項５記載の包装用袋。
【考案の詳細な説明】
【技術分野】
【０００１】
本考案は、植物が植えられた育苗ポットや菓子等を包装する包装用袋に関する。
【背景技術】
【０００２】
従来から、植物が植えられた育苗ポットや菓子等を、透明のプラスチックフィルムで形成された包装用袋に入れて、その袋の開口部をリボン等で閉じ、贈答用にすることが行われている。
【０００３】
なお、出願人によるプラスチックフィルムで形成された食品用包装容器の発明として、下記特許文献１に記載されたものがある。
【特許文献１】特開２００２−３７０７５２号公報
【考案の開示】
【考案が解決しようとする課題】
【０００４】
しかし、上記従来の包装用袋で育苗ポットに植えられた植物を包装した場合、植物を育苗ポットごと取り出す際に、取り出しにくいという問題があり、また、包装用袋から取り出さずに鑑賞する場合には、植物の世話がしにくいという問題があった。育苗ポット以外の菓子等の収納物を包装する場合も、同様に、収納物の取り出しを容易にでき、また、収納物を取り出さないときにはその取り扱いを容易にできる包装用袋が求められていた。
【０００５】
本考案は、上述した問題を解決するものであり、収納物の取り出しを容易にできるとともに、収納物を取り出さない場合にはその取り扱いを容易にできる包装用袋を提供することを目的とする。
【課題を解決するための手段】
【０００６】
本考案の包装用袋は、プラスチックフィルムで形成された包装用袋であって、周壁部と周壁部の下端部に連結された底壁部とを備え、周壁部に、周壁部を一周するような破断を、容易に行えるように構成された破断容易部が、設けられていることを特徴とする。
【０００７】
ここで、破断容易部は、周壁部を一周するミシン目を有することにより、周壁部を一周するような破断を容易に行えるように構成することができる。
【０００８】
また、底壁部が、包装用袋の内部に折り畳まれるガゼット状に形成されて、底壁部の折り畳んだ状態における両側端が、周壁部に固着され、底壁部を折り畳むことにより、平面状になることが好ましい。
【０００９】
また、底壁部を折り畳んだときに、下縁部から上方へ向かって広がるテーパ平面状になることが好ましい。
【００１０】
また、周壁部の下部に、模様若しくは色彩又はこれらの結合（以下、「模様等」という。）が付加された帯状の目隠し装飾部が設けられ、目隠し装飾部、又は、目隠し装飾部と周壁部の目隠し装飾部より上方部位との境界部に、破断容易部が設けられていることが好ましい。
【００１１】
そして、周壁部の目隠し装飾部より上方部位は、大部分が透明とされていることが好ましい。
【００１２】
また、周壁部又は底壁部のいずれか一方又は両方に、孔を設けることもできる。
【００１３】
また、本考案の包装用袋は、育苗ポット包装用袋とすることができ、その場合には、目隠し装飾部が、周壁部の下端部から、包装される育苗ポットの高さと略同じかそれより高い位置まで、形成され、底壁部に孔が設けられていることが好ましい。
【考案の効果】
【００１４】
本考案の包装用袋は、破断容易部を破断して、破断容易部から上側の部分を取り除くことにより、収納物が取り出し易くなるとともに、収納物を取り出さない場合には収納物が扱い易くなる。
【００１５】
また、破断容易部が、周壁部を一周するミシン目を有することにより、周壁部を一周するような破断を容易に行えるように構成すれば、製造容易である。
【００１６】
また、底壁部を包装用袋の内部に折り畳まれるガゼット状に形成して、底壁部の折り畳んだ状態における両側端を周壁部に固着し、底壁部を折り畳むことにより、平面状になるように構成すれば、保管や運搬の際にスペースを取らない。
【００１７】
さらに、底壁部を折り畳んだときに下縁部から上方へ向かって広がるテーパ平面状になるようにすれば、底壁部を広げたときに上窄まりにならないので、収納物が収納し易い。
【００１８】
また、周壁部の下部に、模様等が付加された目隠し装飾部を設ければ、収納物の目隠し装飾部に隠れた部分が見えず、意匠性に優れることとなる。そして、破断容易部を破断して、破断容易部から上側の部分を取り除くことにより、収納物の取り出しが容易となり、また、収納物を取り出さずにそのまま置いておいても、収納物の取り扱いが容易であり、模様等が付加された部分が残っているため、意匠性にも優れることとなる。
【００１９】
さらに、周壁部の目隠し装飾部より上方部位を、大部分が透明であるようにすれば、破断容易部から上側の部分を取り除く前において、収納物を外部から視認したり鑑賞したりすることができる。
【００２０】
また、周壁部や底壁部に、孔を設けることにより、通気や潅水を可能にできる。
【００２１】
また、本考案の包装用袋を育苗ポット包装用袋とするときに、目隠し装飾部を、周壁部の下端部から、包装される育苗ポットの高さと略同じかそれより高い位置まで形成し、底壁部に孔を設ければ、育苗ポットが目隠し装飾部に隠れるので、見た目が良く意匠性に優れるとともに、孔を水はけ用の孔として利用できるので、潅水可能となる。
【考案を実施するための最良の形態】
【００２２】
以下、本考案の一実施形態を図面に基づいて説明する。本実施形態の包装用袋１は、育苗ポット包装用袋として構成されている。
【００２３】
図１は、底壁部２を折り畳んだ状態の包装用袋１の正面図、図２は、底壁部２を広げた状態の包装用袋１の底面図、図３は、底壁部２を広げた状態の包装用袋１の斜視図（但し、模様等は省略したもの。）である。
【００２４】
包装用袋１は、プラスチックフィルムで形成されており、周壁部３と、周壁部３の下端部に連結された底壁部２とを備え、図1に示すように、正面視において上辺が下辺より長い台形状をなし、上端は開口されている。包装用袋１を構成するプラスチックフィルムの材質は、透明で、かつ、模様等が印刷又は塗装できるものであれば、特に限定されない。例えば、ポリオレフィン系、より具体的にはポリプロピレン系のものが、熱融着性等の見地から望ましいが、生分解性プラスチックを使用すれば、廃棄性に優れることとなる。特に、育苗ポット包装用袋に生分解性プラスチックを使用すれば、植物が生育してきたときにそのまま土中に植えることができる。また、包装用袋１を形成するプラスチックフィルムは、単体素材、すなわち、一層のプラスチックフィルムからなるもののみならず、複合素材、すなわち、複数層のプラスチックフィルムからなるもの（例えば、複数種のプラスチックフィルムを積層してラミネート加工したもの等）であってもよい。
【００２５】
周壁部３は、上辺が下辺より長い台形状の前壁部３ａ及び後壁部３ｂ（図３参照）を、それらの両側端で互いに固着（本実施形態では、熱溶着）することにより、形成されている。
【００２６】
底壁部２は包装用袋１の内部に折り畳まれるガゼット状（すなわち、ひだ状）に形成されており、底壁部２の折り畳んだ状態における両側端２ａ、２ａは、周壁部３に固着（本実施形態では、熱溶着）されている。詳しくは、底壁部２の両側端２ａ、２ａは、半折り状態で前壁部３ａと後壁部３ｂとの間に挟まれた状態で熱溶着されて、周壁部３の両側端部３ｃ、３ｃにそれぞれ固着される。底壁部２には、孔８、８が設けられている。なお、平面状の包装用袋１に対して、前壁部３ａ及び後壁部３ｂの一方から他方まで穿孔することにより、孔８、８を穿設するため、周壁部３にも孔１８、１８が形成される。
【００２７】
包装用袋１は、図１に示すように、底壁部２を折り畳むことにより、下縁部１５から上方へ向かって広がるテーパ平面状になる。図１において符号２が付された破線は、底壁部２の折り目を表す。包装用袋１のテーパ角度θは、約１５度である。ここで、テーパ角度θは、包装用袋１を平面状にしたときに、下辺と直角をなして上方に延びる直線Ｌと、周壁部３の側端の線とがなす角度とする。
【００２８】
そして、包装用袋１の使用時には、底壁部２を包装用袋１内から下方に押すようにして広げれば、図２及び図３に示すように、底壁部２は船形状をなし、底壁部２の両側端２ａ、２ａに引っ張られて周壁部３の溶着部分が自然に立ち上がり、包装用袋１の内部が広がる。包装用袋１は、折り畳んだ状態で上記のように上方へ広がるテーパ平面状であることから、矩形平面状である場合のように底壁部２を広げても上窄まりになることがなく、上端の開口部が広がって、収納物が収納し易い。
【００２９】
周壁部３の下部には、模様等（本実施形態では、模様と色彩との結合、すなわち、色付き模様）が付加（本実施形態では、印刷）されることにより不透明とされた目隠し装飾部５が設けられている。目隠し装飾部５は、図４に示すように、周壁部３の下端部から、包装される育苗ポット１１、１２の高さより若干高い位置まで、形成されている。周壁部３の目隠し装飾部５より上方部位４は、本実施形態では透明とされている。
【００３０】
また、目隠し装飾部５の上端部には、ミシン目（すなわち、点線状の孔）７が、周壁部３を一周するように設けられている。このミシン目７が形成された部位が、破断容易部１７に該当する。
【００３１】
以上のように構成された包装用袋１の使用例について、次に説明する。
【００３２】
図４は、植物９、１０がそれぞれ植えられた育苗ポット１１、１２を収納した例である。なお、育苗ポット１１、１２は、一般に用いられている薄手の軟質合成樹脂製のものである。包装用袋１に育苗ポット１１、１２を収納するときは、上述したように底壁部２を広げ、包装用袋１の内部を広げて、育苗ポット１１、１２を収納する。すると、正面視（背面視、側面視でも同じ。）したときに、上方部位４は透明であるため、植物９、１０は外部から見えるが、育苗ポット１１、１２は目隠し装飾部５に隠れて見えず、見た目が良い。しかも、目隠し装飾部５には模様等が付加されているため、意匠性に優れることとなる。
【００３３】
そして、図５に示すように、ミシン目７を破断すると、容易に周壁部３を一周するように破断できるので、周壁部３のミシン目７よりも上側の部分、すなわち、目隠し装飾部５の一部及び上方部位４を取り除けば、植物９、１０を育苗ポット１１、１２ごと取り出す際に、取り出し易くなる。また、図４の状態で、植物９、１０を包装用袋１から取り出さずにそのまま鑑賞することとしても、模様等が付加された部分が残って、その中に育苗ポット１１、１２が収納されているので、見た目が良く、意匠性に優れることとなる。さらに、孔８、８が水はけ用の孔となるので、包装用袋１に収納したままの状態で、鉢受けに載せて潅水することができる。また、周壁部３の高さが低くなるので、肥料を置く、萎れた花を取り除く等の世話がし易くなる。
【００３４】
また、包装用袋１は、底壁部２を下方から押して折り畳むことにより、図１に示すように、平面状になるので、保管や運搬の際にスペースを取らない。
【００３５】
図６は、他の実施形態に係る包装用袋１Ａの使用例である。なお、包装用袋１の構成要素に対応する包装用袋１Ａの構成要素については、同じ符号を用いて、その説明を省略する。
【００３６】
包装用袋１Ａには菓子１３が収納されており、上方部位４にはリボン１４が結ばれている。包装用袋１Ａの目隠し装飾部５には、模様等が付加されているので、図６に示すように、見た目良く菓子１３を収納することができる。また、ミシン目７を切離して、周壁部３のミシン目７より上側の部分を取り除けば、菓子１３が取り出し易くなるとともに、菓子１３の並べ替え等の取り扱いも容易となり、また、そのようにミシン目７より上側の部分を取り除いた状態にしても、残った目隠し装飾部５の部分には、模様等が付加されているので、見た目が良く、意匠性に優れることとなる。
【００３７】
なお、包装用袋１Ａには、孔８は設けられていない。このように、孔８を設けるか否かは、用途に応じて任意である。すなわち、本発明の包装用袋は、上述した育苗ポット１１、１２や、菓子１３の他、種々の収納物が収納されるものであり、収納物に合わせて、孔８のあるものを用いたり、孔８のないものを用いたりすればよい。また、孔８の形成位置も適宜変更可能であり、排水を目的とする場合には底壁部２が望ましいが、通気を目的とする場合には、周壁部３の上部に設けるのがよい。また、孔８を、底壁部２と周壁部３の両方に設けてもよい。
【００３８】
また、包装用袋１、１Ａでは、いずれも、ミシン目７を目隠し装飾部５の上端部に設けたが、ミシン目７を、目隠し装飾部５と上方部位４との境界部６（図１参照）に設けることとしてもよい。また、ミシン目７は図１に示すような直線状とは限らず、例えば、ミシン目７を波線状に形成して波切りができるように（すなわち、破断した縁が波線状になるように）構成してもよいし、他の曲線状やジグザグ状等に形成してもよい。
【００３９】
また、破断容易部１７は、周壁部３を一周するような破断を容易に行えるものであればよく、ミシン目７を用いなくてもよい。例えば、包装用袋１を構成するフィルムに配向性を持たせることにより、目隠し装飾部５の上端部あるいは境界部６に、周壁部３の周方向に略沿って裂け易い部位を、周壁部３を一周するように形成しておけば、その部位が破断容易部１７となる。この場合、破断容易部１７に、破断案内手段として、部分的にミシン目７を設けたり、カットテープや切れ込み（ノッチ）等を設けたりすれば、より破断が容易となるが、かかる破断案内手段は必須ではない。
【００４０】
また、ミシン目７を互いに平行に複数本設ける等、破断容易部１７を複数設け、周壁３の下端部から異なる高さの複数の位置で破断できるように構成してもよい。そうすれば、収納物の高さに合った位置で破断可能となる。
【００４１】
また、破断容易部１７は、目隠し装飾部５の上端部より下位に設けられていてもよい。
【００４２】
また、上方部位４に、模様等を付加してもよい。但し、破断容易部１７から上側の部分を取り除く前においても、収納物が視認・鑑賞可能である点からは、上方部位４は、大部分が透明であることが望ましい。ここで、大部分が透明とは、半分より多くの部分が透明である場合を言い、全部が透明である場合を含む。
【００４３】
また、目隠し装飾部５を、不透明ではなく半透明としてもよく、また、部分的に不透明としたり半透明としたりしてもよく、意匠性を阻害しなければ目隠し装飾部５の一部に透明部分が残っていてもよい。また、目隠し装飾部５に、色付き模様ではなく、色のみを付してもよい。また、模様等を付する範囲（すなわち目隠し装飾部５の範囲）も、収納物に合わせて、種々の変更が可能である。底壁部５に模様等を付加するか否かも、任意である。
【００４４】
また、本考案の包装用袋は、目隠し装飾部５が無い実施形態も採り得る。例えば、植物９、１０が意匠性のある鉢に植えられている場合には、その鉢が外部から見えるように、周壁部３全体が透明であって、目隠し装飾部５が無いものを用いるとよい。図３は包装用袋１の模様等を省略したものであるが、目隠し装飾部５が無い実施形態としては、例えば図３に示すものと同様のものが考えられる。
【００４５】
また、包装用袋１、１Ａの大きさも収納物に合わせて変更可能であり、例えば、包装用袋１は、２つの育苗ポット１１、１２の収納に適した大きさとしたが、１つの育苗ポットを収納するのに適した大きさとすることもできる。
【００４６】
また、テーパ角度θも１°〜８９°の範囲で変更可能であるが、約１０°〜６０°の範囲が、使い易さの面からは望ましい。
【００４７】
また、包装用袋１、１Ａは、１枚のプラスチックフィルム（原反）を半折りにし、その折り目部分を中に折り込んで（この折り込んだ部分が底壁部２を構成する。）、熱線で切断するのと同時に溶着する、いわゆる溶断シールにより、製袋されている。この溶断シールは、シール幅が極狭小でシール強度が比較的弱いので、シール幅を幅広とした補強シール部を、シールされた部分（すなわち、周壁部３の両側端部３ｃ、３ｃ）に部分的に設けることとしてもよい。勿論、両側端部３ｃ、３ｃ全体を、幅広の補強シール部としてもよい。
【００４８】
また、製袋方法も上記した方法に限られない。例えば、前壁部３ａ、後壁部３ｂ、底壁部２を別々の原反で形成する、いわゆるスタンドパック方式で製袋してもよい。
【００４９】
また、周壁部３の上部に、持ち手用の楕円形状の孔（小判抜き）を設けてもよいし、チャック（ファスナー）や粘着テープを付けることにより、包装袋１、１Ａの上端の開口部を開閉可能としてもよい。
【００５０】
すなわち、実用新案登録請求の範囲を逸脱しない範囲で、本考案は種々の構成を採り得る。
【図面の簡単な説明】
【００５１】
【図１】本考案の一実施形態に係る包装用袋の正面図であり、底壁部を折り畳んだ状態の図である。
【図２】図１の包装用袋の底壁部を広げた状態の底面図である。
【図３】図１の包装用袋の底壁部を広げた状態の斜視図（但し、模様等は省略したもの。）である。
【図４】図１の包装用袋に育苗ポットを収納したときの斜視図である。
【図５】図４の包装用袋のミシン目より上側の部分を取り除いたときの斜視図である。
【図６】他の実施形態に係る包装用袋の使用例である。
【符号の説明】
【００５２】
１、１Ａ…包装用袋
２…底壁部
３…周壁部
４…上方部位
５…目隠し装飾部
６…境界部
７…ミシン目
８…孔
１１、１２…育苗ポット
１５…下縁部
１７…破断容易部
【図１】
0003118893.tif 000003
【図２】
0003118893.tif 000004
【図３】
0003118893.tif 000005
【図４】
0003118893.tif 000006
【図５】
0003118893.tif 000007
【図６】
0003118893.tif 000008